(57)【要約】【課題】非接触無線周波磁界データ伝送カードおよびその適用システムを提供する。【解決手段】磁界識別チップ、マイクロ処理装置、およびアンテナモジュールを組み合わせて非接触無線周波磁界データ伝送カードを構成し、それにより伝送プロトコルに従って無線周波磁気識別リーダとメッセージを通信することができる。電子カードまたは電子パース等の幅広い用途に適用することができる。【選択図】  図１
2004328729.tif 000002
【特許請求の範囲】
【請求項１】
無線周波（ＲＦ）磁界識別リーダとメッセージを送受信するための非接触無線周波磁界データ伝送カードであって、
アンテナモジュールと、
伝送プロトコルに従ってメッセージを送受信するためのマイクロ処理装置と、
前記アンテナモジュールおよび前記マイクロ処理装置に接続され、前記メッセージを磁界信号に変換し、次いで磁界信号を前記アンテナモジュールを介して伝送し、かつ前記アンテナモジュールにより受信された磁界信号をメッセージに変換するための磁界識別チップとを備えた非接触無線周波磁界データ伝送カード。
【請求項２】
前記マイクロ処理装置がマイクロコントローラおよび液晶ディスプレイを含む請求項１に記載の非接触無線周波磁界データ伝送カード。
【請求項３】
前記マイクロ処理装置がさらに入力周辺装置を含む請求項２に記載の非接触無線周波磁界データ伝送カード。
【請求項４】
伝送プロトコルに従うパッケージが４ビットのパッケージヘッダと、４ビットのコードと、前記４ビットのコードに依存する長さのメッセージストリングとを含む請求項１に記載の非接触無線周波磁界データ伝送カード。
【請求項５】
前記非接触無線周波磁界データ伝送カードを電子パースとして用いる請求項１に記載の非接触無線周波磁界データ伝送カード。
【請求項６】
前記非接触無線周波磁界データ伝送カードを電子カードとして用いる請求項１に記載の非接触無線周波磁界データ伝送カード。
【請求項７】
磁界信号を送受信するための磁界識別チップを有する無線周波磁気識別リーダと、
前記磁界信号を送受信するための磁界識別チップを有する非接触無線周波磁界データ伝送カードとを備えており、
伝送プロトコルに従って前記無線周波磁気識別リーダと前記非接触無線周波磁界データ伝送カード間でメッセージが送受信されるように構成される非接触無線周波磁界データ送信システム。
【請求項８】
前記非接触無線周波磁界データ伝送カードがさらにアンテナモジュールおよびマイクロ処理装置を含む請求項７に記載の非接触無線周波磁界データ送信システム。
【請求項９】
前記マイクロ処理装置がマイクロコントローラおよび液晶ディスプレイを含む請求項８に記載の非接触無線周波磁界データ送信システム。
【請求項１０】
前記マイクロ処理装置がさらに入力周辺装置を含む請求項９に記載の非接触無線周波磁界データ送信システム。
【請求項１１】
前記非接触無線周波磁界データ伝送カードが電子カードである請求項７に記載の非接触無線周波磁界データ送信システム。
【請求項１２】
前記非接触無線周波磁界データ伝送カードが電子パースである請求項７に記載の非接触無線周波磁界データ送信システム。
【請求項１３】
前記無線周波磁気識別リーダが電子カードである請求項７に記載の非接触無線周波磁界データ送信システム。
【請求項１４】
伝送プロトコルに従うパッケージが４ビットのパッケージヘッダと、４ビットのコードと、前記４ビットのコードに依存する長さのメッセージストリングとを含む請求項７に記載の非接触無線周波磁界データ送信システム。
【発明の詳細な説明】
【技術分野】
【０００１】
本発明は、概して非接触型のデータ送信に関する。より詳細には、本発明は非接触無線周波磁界データ伝送カードおよびその適用システムに関する。
【背景技術】
【０００２】
従来の安全識別システムでは、安全のために個人識別情報を読み取るのに接触データ伝送方式が通常使用されている。しかし、接触データ伝送は次の欠点を有する。第一に、操作過程で長時間を必要とする。金融システムの金融カード取引プロセスを一例に挙げると、カードの誘導、カードの搬送および磁気バー読取等のプロセスを実行しなければならないため、待ち時間を多く浪費することになる。さらに、接触データ伝送カードの内容は全て接触データ伝送カードの裏側の磁気バーに格納されるので、カードが磁性体に近づいてカードから磁気が消滅してしまうと格納されていた内容が全て完全に消失してしまうため、当該カードはあまり信頼が置けない。
【発明の開示】
【発明が解決しようとする課題】
【０００３】
このため磁界伝送および無線周波磁界識別リーダ（ＲＦ  ＭＦＩＤリーダ）を用いたパスワードＩＤカードが開発されている。このパスワードＩＤカードは非接触伝送方式を用いているが、依然として識別パスワードの読み取り又は書き込みが可能である。インタラクション用関連プログラムはＲＦ  ＭＦＩＤリーダに格納される。したがって、リアルタイムメッセージ通信を必要に応じて設定することはできず、適用が制限される。
【０００４】
上述の記載より、本発明の目的は、伝送プロトコルに従ってリアルタイムでメッセージ通信可能な、非接触無線周波磁界データ伝送カードおよびその適用システムを提供することである。これにより全体的な適用分野が広くなる。
【課題を解決するための手段】
【０００５】
上述の目的にしたがい、非接触無線周波磁界データ伝送システムを提供する。非接触無線周波磁界データ伝送システムは、磁界信号を送受信するための磁気識別（磁気ＩＤ）チップを有する無線周波磁気識別リーダと、磁界信号を送受信するための磁気ＩＤチップを有する非接触無線周波磁界データ伝送カードとを含む。伝送プロトコルに従って無線周波磁気識別リーダと非接触無線周波磁界データ伝送カードとの間でメッセージが伝送される。
【０００６】
磁界識別（ＭＦＩＤ）チップはメッセージを磁界信号に変換し、次いでアンテナモジュールを介し磁界信号を伝送し、かつアンテナモジュールにより受信された磁界信号をメッセージに変換するのに使用される。
【０００７】
マイクロ処理装置は、予め定められた伝送プロトコルに従ってリアルタイムでメッセージを通信するためのマイクロコントローラおよび液晶ディスプレイを含む。また、マイクロ処理装置はさらに、ユーザが命令を入力することができるように、入力周辺装置を含む。
【０００８】
本発明の一態様では、磁界識別チップは、ウィンボンド・エレクトロニクス・コーポレーション（Ｗｉｎｂｏｎｄ  Ｅｌｅｃｔｒｏｎｉｃｓ  Ｃｏｒｐｏｒａｔｉｏｎ）により製造されたＷ５５ＭＩＤ５０チップとすることができる。
【０００９】
非接触無線周波磁界データ伝送カードは電子カードまたは電子パースである。
【００１０】
伝送プロトコルに従うパッケージは、４ビットパッケージヘッダと、４ビットコードと、４ビットコードに依存する長さのメッセージストリングとを含む。
【発明の効果】
【００１１】
上述のように本発明の非接触無線周波磁界データ伝送カードおよびその適用システムは、予め定められた伝送プロトコルに従ってリアルタイムでメッセージを送信することができる。このように本発明の開示は電子カード又は電子パース用にデータを表示・編集または他の追加機能に適用することが可能である。したがって、本発明は幅広い分野で利用することができる。
【００１２】
本明細書において本願発明とみなされる主題は特許請求の範囲にて特定され明確に請求されるに至るが、本発明の目的および特徴並びにそのさらなる目的、特徴および効果は添付図面に関する以下の記載よりさらに理解されるであろう。
【発明を実施するための最良の形態】
【００１３】
図１は、本発明の一実施の形態に係る非接触無線周波磁界データ伝送カード（a contactless radio frequency magnetic field data transmission card）の適用システムのシステムブロック図を図式的に示す。図１を参照すると、非接触無線周波磁界データ伝送カードの適用システムは、無線周波磁気識別リーダ（ＲＦ  ＭＦＩＤリーダ）１１０と、非接触無線周波磁界データ伝送カード１２０とを含む。ＲＦ磁界データ伝送カード１２０は、例えば個人で携帯可能な電子パースまたは電子名刺とすることができる。ＲＦ  ＭＦＩＤリーダ１１０は、例えば銀行側または他の場所に設置されたサービスホストであって、それは予め定められたプロトコルに基づいて非接触無線周波磁界データ伝送カード１２０（例えば電子パースまたは電子名刺等）と通信することができる。非接触無線周波磁界データ伝送カード１２０が電子名刺である場合には、二つの電子名刺間の通信を確立して、いつでも電子名刺を交換することができる。
【００１４】
図１で、ＲＦ  ＭＦＩＤリーダ１１０はマイクロコントローラ１１１と、液晶ディスプレイ（ＬＣＤ）１１２と、入力周辺装置１１３と、磁界識別チップ１１４と、アンテナモジュール１１５とを含む。非接触無線周波磁界データ伝送カード１２０はマイクロコントローラ１２１と、ＬＣＤ１２２および入力周辺装置１２３用のマイクロ処理装置と、磁界識別チップ１２４と、アンテナモジュール１２５とを含む。
【００１５】
マイクロコントローラ１１１、１２１は、ＬＣＤ１１２、１２２をそれぞれ駆動して表示させるためのＬＣＤコントローラ（図示せず）を含んでもよい。本実施形態では、磁界識別チップ１１４、１２４はウィンボンド・エレクトロニクス・コーポレーションにより製造および設計されたＷ５５ＭＩＤ５０チップを使用する。識別コードの読み出し又は書き込みのみ可能な汎用ＲＦ  ＭＦＩＤとして機能するだけでなく、Ｗ５５ＭＩＤ５０チップは、マイクロ処理装置１２６によりメッセージ通信の制御が可能な動作モードをも提供する。入力周辺装置１１３は、例えばキーボードとすることができ、入力周辺装置１２３はキーパッドとして構成してもよい。当業者にとって、非接触無線周波磁界データ伝送カード１２０が電子パースとして用いられる場合、キーパッド等の入力周辺装置１２３を省略して非接触無線周波磁界データ伝送カード１２０に占める空間を最小化することができる。
【００１６】
磁界識別チップ１１４、１２４の機能を用いて、伝送されるメッセージを磁界信号に変換し、次いで磁界信号をそれぞれアンテナモジュール１１５および１２５を介して伝送する。また、アンテナモジュール１１５および１２５は、メッセージへの磁界信号を受信し、マイクロコントローラ１１１および１２１が所定の伝送プロトコルに従ってメッセージを送信または受信することができる。
【００１７】
図２、３および４は、本発明の実施の形態で使用する伝送プロトコル用の例示フォーマットを示す。図２は、信号が伝送される際のタイミング図を示す。図３はパッケージフォーマットを示し、図４はパッケージ構造を示す。図２に示すように、受信側のサンプリング周期をＴと仮定すると、本発明の定義においてはデータ０を伝送する場合に３Ｔの高レベル信号をまず伝送しなければならず、次いで６Ｔの低レベル信号が続く。データ１を伝送するときに６Ｔの高レベル信号がまず伝送され、次いで３Ｔの低レベル信号が伝送される。加えて、データが伝送される前に毎回、３０ｎｏｐ（無演算命令）幅の高レベル信号をまず伝送しなければならず、その後に３０ｎｏｐ幅の低レベル信号および１２Ｔの高レベル信号が続き、次いで３０ｎｏｐ幅の低レベル同期信号Ｓｙｎｃが伝送される。このようにして、受信側は受信データのサンプリング条件に従って受信データを復元することができる。
【００１８】
図３および４を参照すると、図３において送信パッケージのフォーマットは、４ビットのパッケージヘッダと、４ビットコードと、４ビットコードに基づく長さのメッセージストリングとを含んでいる。図４に示すように、様々なコードによるパッケージ構造が定義される。コード０〜７は、異なるデータ長のコードを送信するのに使用し、メッセージストリングは、例えばデータ名、データおよびチェックサム等のフィールドを含むように構成してもよい。データ名およびチェックサムフィールドはそれぞれ１ニブルの幅を有し、パッケージ長は（２×コード＋２）ニブルである。コード８はアクノレッジコードである。よって対応するメッセージストリングはチェックサムフィールドのみを含み、パッケージ長はコードおよびチェックサムフィールドを含めて２ニブルである。コード９は、データの再送信を要求するのに使用されるコードである。したがって、対応するメッセージストリングもまたチェックサムフィールドのみを含み、パッケージ長はコードおよびチェックサムフィールドを含め２ニブルである。コード１０は、データ要求のためのコードである。したがって、対応するメッセージストリングはデータ名およびチェックサムフィールドを含み、パッケージ長はコード、データ名およびチェックサムフィールドを含めて３ニブルである。
【００１９】
コード１１〜１５は他の拡張機能のために確保される。データ名フィールドは例えば０、１および２を使用して、名前、パスワード、金額等のデータをそれぞれ指定する。したがって、受信側および送信側の両方のマイクロコントローラ１１１および１２１で実行されるプログラムは、上述のコードおよび伝送プロトコルに従って非接触方式でメッセージを送信および受信することができる。
【００２０】
すなわち本発明は非接触ＲＦ磁界データ伝送カードおよびその適用システムを提供するものであり、それは電子カード、電子パース等のため、データを表示・編集し又は他の追加機能に適用可能である。したがって、本発明は幅広く使用することができる。
【００２１】
本発明を好適な実施の形態により説明してきたが、かかる説明は本発明を限定する意図のものではない。実施形態の様々な変形が当業者には明らかであろう。したがって、添付の特許請求の範囲は、本発明の真の範囲内に属する変形または実施形態を含むものである。
【図面の簡単な説明】
【００２２】
【図１】非接触無線周波磁界データ伝送カードの適用システムを図式的に示すシステムブロック図である。
【図２】本発明の実施形態に係るデータ送信のタイミング図である。
【図３】本発明の実施形態に係るパッケージフォーマットを例示的に示す図である。
【図４】本発明の実施形態に係るパッケージ構造を例示的に示す図である。
【符号の説明】
【００２３】
１１０  無線周波磁気識別リーダ
１１１  マイクロコントローラ
１１２  液晶ディスプレイ（ＬＣＤ）
１１３  入力周辺装置
１１４  磁界識別チップ
１１５  アンテナモジュール
１２０  非接触無線周波磁界データ伝送カード
１２１  マイクロコントローラ
１２２  液晶ディスプレイ（ＬＣＤ）
１２３  入力周辺装置
１２４  磁界識別チップ
１２５  アンテナモジュール
１２６  マイクロ処理装置
【図１】
2004328729.tif 000003
【図２】
2004328729.tif 000004
【図３】
2004328729.tif 000005
【図４】
2004328729.tif 000006